(57)【要約】【課題】色・柄物衣料と白物衣料とを一緒に洗濯した場合でも、移染防止効果、褪色防止効果の高い洗浄剤組成物を提供する。【解決手段】（ａ）α−スルホ脂肪酸アルキルエステル塩、（ｂ）粘土鉱物、及び（ｃ）還元剤を、それぞれ特定比率で含有する洗浄剤組成物。【選択図】なし【特許請求の範囲】
【請求項１】
（ａ）α−スルホ脂肪酸アルキルエステル塩３〜３０質量％、（ｂ）粘土鉱物８〜３０質量％、及び（ｃ）還元剤０．１〜２質量％を含有し、（ａ）成分／（ｂ）成分の質量比が１／６〜４／３、（ｂ）成分／（ｃ）成分の質量比が１００／１〜６／１、（ａ）成分／（ｃ）成分の質量比が１００／１〜２／１である洗浄剤組成物。
【請求項２】
更に、（ｄ）非イオン界面活性剤０．１〜１０質量％を含有する請求項１記載の洗浄剤組成物。
【請求項３】
更に、（ｅ）炭酸アルカリ金属塩５〜４０質量％を含有し、炭酸ナトリウム塩／炭酸カリウム塩の質量比が９／１〜２／３である請求項１又は２何れか記載の洗浄剤組成物。
【請求項４】
更に、洗浄剤組成物中における、ＪＩＳ Ｋ ３３６２：１９９８記載の界面活性剤相当分が２０〜５０質量％である請求項１〜３何れか記載の洗浄剤組成物。
【請求項５】
（ａ）成分が、（ａ１）α−スルホミリスチン酸アルキルエステル塩及び（ａ２）α−パルミチン酸アルキルエステル塩を含み、（ａ１）／（ａ２）の質量比が１／９〜３／７であり、（ａ）成分中の（ａ１）成分と（ａ２）成分の合計量が８０質量％以上である請求項１〜４何れか記載の洗浄剤組成物。
【請求項６】
（ｂ）成分が、下記一般式（Ｉ）で表されるスメクタイト型粘土鉱物である請求項１〜５何れか記載の洗浄剤組成物。
［Ｓｉ8（ＭｇaＡｌb）Ｏ20（ＯＨ）4］x-・Ｍｅx+        （Ｉ）
（式中、０＜ａ≦６、０＜ｂ≦４、ｘ＝１２−２ａ−３ｂ、ＭｅはＮａ、Ｋ、Ｌｉ、Ｃａ1/2、Ｍｇ1/2およびＮＨ4の少なくとも１種である。但し、Ｎａ／Ｃａのモル比が１．０以上である。）
【請求項７】
（ｃ）成分が、亜硫酸塩である請求項１〜６何れか記載の洗浄剤組成物。
【請求項８】
（ｄ）成分が、下記一般式（II）で示される非イオン界面活性剤である請求項２〜７何れか記載の洗浄剤組成物。
Ｒ1−Ｘ−［（ＥＯ）n／（ＰＯ）m］−Ｒ2          （II）
（式中、Ｒ1は炭素数８〜２０の疎水基、−Ｘ−は−Ｏ−、−ＣＯＯ−、−ＣＯＮＨ−を表わす。ＥＯはオキシエチレン基、ＰＯはオキシプロピレン基、ｎ及びｍは平均付加モル数を表わし、ｎは３〜２０、ｍは０〜６である。なお、ＥＯ群とＰＯ群の付加形態はブロックでもランダムでもよい。Ｒ2は水素原子又は炭素数１〜６の炭化水素基である。）
【請求項９】
（ａ）α−スルホ脂肪酸アルキルエステル塩３〜３０質量％、（ｂ）粘土鉱物８〜３０質量％、及び（ｃ）還元剤０．１〜２質量％を含有し、（ａ）成分／（ｂ）成分の質量比が１／６〜４／３、（ｂ）成分／（ｃ）成分の質量比が１００／１〜６／１、（ａ）成分／（ｃ）成分の質量比が１００／１〜２／１である色・柄物衣料用洗浄剤組成物。
【請求項１０】
（ａ）α−スルホ脂肪酸アルキルエステル塩３〜３０質量％、（ｂ）粘土鉱物８〜３０質量％、及び（ｃ）還元剤０．１〜２質量％を含有し、（ａ）成分／（ｂ）成分の質量比が１／６〜４／３、（ｂ）成分／（ｃ）成分の質量比が１００／１〜６／１、（ａ）成分／（ｃ）成分の質量比が１００／１〜２／１である衣料用洗浄剤組成物を、衣料１ｋｇ当たり５〜１０ｇ使用する洗濯方法。
【請求項１１】
（ａ）α−スルホ脂肪酸アルキルエステル塩３〜３０質量％、（ｂ）粘土鉱物８〜３０質量％、及び（ｃ）還元剤０．１〜２質量％を含有し、（ａ）成分／（ｂ）成分の質量比が１／６〜４／３、（ｂ）成分／（ｃ）成分の質量比が１００／１〜６／１、（ａ）成分／（ｃ）成分の質量比が１００／１〜２／１である衣料用洗浄剤組成物を、色・柄物衣料と白物衣料とが混在する衣料の洗濯浴に用いる洗濯方法。
【発明の詳細な説明】
【技術分野】
【０００１】
本発明は、洗浄剤組成物に関する。好ましくは衣料用洗浄剤組成物、特に色・柄物衣料用洗浄剤組成物に関する。
【背景技術】
【０００２】
衣料等の洗浄は、水道水中に殺菌用に配合されている塩素化合物等によって染料等の着色成分の一部が分解漂白されたり、着色成分が洗濯液中に溶出して衣料等から脱落して生ずる「褪色」や、色落ちした着色成分が他の衣料、特に白物衣料に付着する「移染」等の被洗浄物の変色を招くことがある。
【０００３】
従来、褪色防止に関しては、アミン類による水道水中の塩素化合物捕捉技術が報告されている（特許文献１等）。移染防止に関しては、洗濯液中に溶出した着色成分と錯体を形成し得る移染防止剤を配合する技術が報告されている。移染防止剤としては、例えば、ポリビニルピロリドン（ＰＶＰ）や、ポリ（ビニルピリジンベタイン）（特許文献２等）、ポリアミンＮ−オキシド重合体（特許文献３等）等が開示されている。
【特許文献１】特開平１０−７２７７２号公報
【特許文献２】特表２００１−５１７７３０号公報
【特許文献３】特開２０００−３４５１９２号公報
【発明の開示】
【発明が解決しようとする課題】
【０００４】
しかし、従来の知見では、色・柄物衣料と白物衣料とを混在させて洗浄する場合の問題解決には十分とは言えず、色・柄物衣料と白物衣料とを仕分けして、別個に洗浄することが求められていた。
【０００５】
本発明の課題は、色・柄物衣料と白物衣料とを一緒に洗濯した場合でも、移染防止効果、褪色防止効果の高い洗浄剤組成物を提供することにある。
【課題を解決するための手段】
【０００６】
本発明は、（ａ）α−スルホ脂肪酸アルキルエステル塩〔以下、（ａ）成分という〕３〜３０質量％、（ｂ）粘土鉱物〔以下、（ｂ）成分という〕８〜３０質量％、及び（ｃ）還元剤〔以下、（ｃ）成分という〕０．１〜２質量％を含有し、（ａ）成分／（ｂ）成分の質量比が１／６〜４／３、（ｂ）成分／（ｃ）成分の質量比が１００／１〜６／１、（ａ）成分／（ｃ）成分の質量比が１００／１〜２／１である洗浄剤組成物に関する。
【０００７】
また、本発明は、（ａ）α−スルホ脂肪酸アルキルエステル塩３〜３０質量％、（ｂ）粘土鉱物８〜３０質量％、及び（ｃ）還元剤０．１〜２質量％を含有し、（ａ）成分／（ｂ）成分の質量比が１／６〜４／３、（ｂ）成分／（ｃ）成分の質量比が１００／１〜６／１、（ａ）成分／（ｃ）成分の質量比が１００／１〜２／１である色・柄物衣料用洗浄剤組成物に関する。
【０００８】
また、本発明は、（ａ）α−スルホ脂肪酸アルキルエステル塩３〜３０質量％、（ｂ）粘土鉱物８〜３０質量％、及び（ｃ）還元剤０．１〜２質量％を含有し、（ａ）成分／（ｂ）成分の質量比が１／６〜４／３、（ｂ）成分／（ｃ）成分の質量比が１００／１〜６／１、（ａ）成分／（ｃ）成分の質量比が１００／１〜２／１である衣料用洗浄剤組成物を、衣料１ｋｇ当たり５〜１０ｇ使用する洗濯方法に関する。
【０００９】
また、本発明は、（ａ）α−スルホ脂肪酸アルキルエステル塩３〜３０質量％、（ｂ）粘土鉱物８〜３０質量％、及び（ｃ）還元剤０．１〜２質量％を含有し、（ａ）成分／（ｂ）成分の質量比が１／６〜４／３、（ｂ）成分／（ｃ）成分の質量比が１００／１〜６／１、（ａ）成分／（ｃ）成分の質量比が１００／１〜２／１である衣料用洗浄剤組成物を、色・柄物衣料と白物衣料とが混在する衣料の洗濯浴に用いる洗濯方法に関する。
【発明の効果】
【００１０】
本発明により、色・柄物衣料と白物衣料とを一緒に洗濯した場合でも、移染防止効果、褪色防止効果の高い洗浄剤組成物が得られる。
【発明を実施するための最良の形態】
【００１１】
本発明の洗浄剤組成物は、（ａ）α−スルホ脂肪酸アルキルエステル塩３〜３０質量％、（ｂ）粘土鉱物８〜３０質量％、及び（ｃ）還元剤０．１〜２質量％含有し、（ａ）成分／（ｂ）成分の質量比が１／６〜４／３、（ｂ）成分／（ｃ）成分の質量比が１００／１〜６／１、（ａ）成分／（ｃ）成分の質量比が１００／１〜２／１である。
【００１２】
移染防止効果、褪色防止効果の観点から、（ａ）成分／（ｂ）成分の質量比は１／５〜６／５が好ましく、１／４〜１／１がより好ましく、１／３〜５／６が更に好ましい。
【００１３】
移染防止効果、褪色防止効果の観点から、（ｂ）成分／（ｃ）成分の質量比は８０／１〜８／１が好ましく、７０／１〜１０／１がより好ましく、６０／１〜１２／１が更に好ましい。
【００１４】
移染防止効果、褪色防止効果の観点から、（ａ）成分／（ｃ）成分の質量比は７０／１〜４／１が好ましく、５０／１〜５／１がより好ましく、３０／１〜６／１が更に好ましい。
【００１５】
洗浄性能、溶解性の観点から、本発明の洗浄剤組成物のＪＩＳ Ｋ ３３６２：１９９８記載の界面活性剤相当分は２０〜５０質量％が好ましく、２５〜４５質量％がより好ましく、３０〜４０質量％が更に好ましい。
【００１６】
本発明の洗浄剤組成物は洗浄性能、損傷性の観点で、ＪＩＳ Ｋ ３３６２：１９９８記載の２０℃で測定する０．１質量％水溶液のｐＨが８〜１２であることが好ましく、９〜１１．５がより好ましく、９．５〜１１が更に好ましく、１０〜１１が特に好ましい。ｐＨ調整剤によりこのような範囲になるように調整することが好ましく、水酸化ナトリウム、水酸化カリウム等のアルカリ金属水酸化物、炭酸ナトリウム、炭酸カリウム等のアルカリ金属炭酸塩、珪酸ナトリウム、珪酸カリウム等のアルカリ金属珪酸塩等を用いることができる。
【００１７】
本発明の洗浄剤組成物は（ｂ）成分の安定配合の観点から、粉末であることが好ましい。本発明の洗浄剤組成物が粉末である場合、溶解性の観点で、ＪＩＳ Ｋ ３３６２：１９９８により規定された方法で測定する見掛け密度は１６００ｇ／Ｌ以下が好ましく、１３００ｇ／Ｌ以下がより好ましく、１０００ｇ／Ｌ以下が更に好ましい。また、利便性や廃棄物（例えば箱等）低減の観点で、見掛け密度は３００ｇ／Ｌ以上であることが好ましく、６００ｇ／Ｌ以上がより好ましく、７００ｇ／Ｌ以上が更に好ましい。溶解性の観点で、ＪＩＳ Ｚ ８８０１の標準篩を用いて５分間振動させた後、篩目のサイズによる質量分率から求める粉末洗浄剤組成物の平均粒径は１５０〜１０００μｍが好ましく、より好ましくは１５０〜８００μｍ、更に好ましくは１８０〜６００μｍである。また、利便性の点で、更に圧縮して錠剤形態にしても良いし、１回の使用量を水溶性或いは水不溶性の容器に収納することができる。
【００１８】
移染防止効果、褪色防止効果の観点から、本発明の洗浄剤組成物は被洗浄物１ｋｇに対して、３〜１５ｇ用いることが好ましく、５〜１０ｇがより好ましく、６〜９ｇが更に好ましい。被洗浄物は、繊維製品、特に、衣料が好ましく、なかでも色柄物衣料と白物衣料が混在する衣料が好ましい。
【００１９】
以下、本発明の洗浄剤組成物の各成分について説明する。
【００２０】
＜（ａ）成分＞
本発明の洗浄剤組成物は（ａ）成分としてα−スルホ脂肪酸アルキルエステル塩を３〜３０質量％含有する。（ａ）成分の組成物中の含有量は、移染防止効果、褪色防止効果の観点から３．５〜２０質量％が好ましく、４〜１５質量％がより好ましく、５〜１０質量％が更に好ましい。
【００２１】
洗浄性能の観点から、α−スルホ脂肪酸アルキルエステル塩としては、炭素数８〜２０（好ましくは炭素数１２〜１８、より好ましくは炭素数１４〜１６）の飽和又は不飽和α−スルホ脂肪酸のメチル、エチルもしくはプロピルエステル塩が好ましく、特に炭素数１２〜１８（好ましくは炭素数１４〜１６）の飽和又は不飽和α−スルホ脂肪酸のメチルエステル塩が好ましい。
【００２２】
移染防止効果、褪色防止効果の観点から、（ａ）成分は、（ａ１）α−スルホミリスチン酸アルキルエステル塩〔以下、（ａ１）成分という〕及び（ａ２）α−パルミチン酸アルキルエステル塩〔以下、（ａ２）成分という〕を含むことが好ましく、その場合、（ａ）成分中、（ａ１）α−スルホミリスチン酸アルキルエステル塩及び（ａ２）α−パルミチン酸アルキルエステル塩の合計量が８０質量％以上であることが好ましく、９０質量％以上がより好ましく、９５質量％以上が更に好ましく、９８質量％以上が特に好ましい。
【００２３】
また、移染防止効果、褪色防止効果の観点から、（ａ１）成分／（ａ２）成分の質量比は１／９〜３／７が好ましく、１２／８８〜２８／７２がより好ましく、１５／８５〜２５／７５が更に好ましい。
【００２４】
洗浄性能の観点から、（ａ）成分は、アルカリ金属、アルカリ土類金属等の水溶性の塩であり、ナトリウム塩、カリウム塩が好ましい。
【００２５】
移染防止効果、褪色防止効果の観点から、ナトリウム塩／カリウム塩の質量比は、１００／０〜５０／５０が好ましく、９５／５〜６０／４０がより好ましく、９０／１０〜７０／３０が更に好ましい。
【００２６】
＜（ｂ）成分＞
本発明の洗浄剤組成物は（ｂ）成分として粘土鉱物を８〜３０質量％含有する。（ｂ）成分の組成物中の含有量は、移染防止効果、褪色防止効果の観点から９〜２０質量％が好ましく、１０〜１８質量％がより好ましく、１１〜１６質量％が更に好ましい。
【００２７】
（ｂ）成分としては、タルク、パイロフィライト、スメクタイト（サポナイト、ヘクトライト、ソーコナイト、スティーブンサイト、モンモリロナイト、バイデライト、ノントロナイト等）、バーミキュライト、雲母（金雲母、黒雲母、チンワルド雲母、白雲母、パラゴナイト、セラドナイト、海緑石等）、緑泥石（クリノクロア、シャモサイト、ニマイト、ペナンタイト、スドーアイト、ドンバサイト等）、脆雲母（クリントナイト、マーガライト等）、スーライト、蛇紋石鉱物（アンチゴライト、リザーダイト、クリソタイル、アメサイト、クロンステダイト、バーチェリン、グリーナライト、ガーニエライト等）、カオリン鉱物（カオリナイト、ディッカイト、ナクライト、ハロイサイト等）等が挙げられる。移染防止効果、褪色防止効果の観点からスメクタイト型粘土鉱物が好ましく、中でも下記一般式（Ｉ）で表されるスメクタイト型粘土鉱物が好ましい。
［Ｓｉ8（ＭｇaＡｌb）Ｏ20（ＯＨ）4］x-・Ｍｅx+        （Ｉ）
（式中、０＜ａ≦６、０＜ｂ≦４、ｘ＝１２−２ａ−３ｂ、ＭｅはＮａ、Ｋ、Ｌｉ、Ｃａ1/2、Ｍｇ1/2およびＮＨ4の少なくとも１種である。但し、Ｎａ／Ｃａのモル比が１．０以上である。）
【００２８】
更に、式中、Ｎａ／Ｃａのモル比は１．５以上が好ましく、２以上が更に好ましい。
【００２９】
Ｎａ／Ｃａのモル比が高い粘土鉱物を得る方法として、天然品であれば、産地を選択すればよいし、または、例えば粘土造粒物を製造する際に、Ｎａ塩等を添加して調整することも可能である。また、合成品であれば公知の方法にて任意に調整が可能である。
【００３０】
Ｎａ／Ｃａのモル比が高い粘土造粒物を製造する方法として、次の製法が有用である。水分を２０％以上含む原料粘土鉱石に粉末の炭酸ナトリウム等のNa塩を添加した後に乾燥する工程を含む製法、または、パウダー状に粉砕した粘土鉱物を造粒機を用いて造粒する際に炭酸ナトリウム等のNa塩の粉末や水溶液を添加する工程を含む製法である。
【００３１】
粘土造粒物中のＮａとＣａのモル比は、粘土造粒物を乳鉢で粉砕し、目開き１２５μｍの篩を通過した試料０．１ｇをマイクロウェーブ湿式灰化装置（自動）で硫酸−過酸化水素分解したのち、メスフラスコにて５０ｍＬにメスアップして、ＩＣＰ発光分析装置で測定してＮａとＣａ量を定量して計算することができる。
【００３２】
＜（ｃ）成分＞
本発明の洗浄剤組成物は（ｃ）成分として還元剤を０．１〜２質量％含有する。移染防止効果、褪色防止効果の観点から０．１５〜１．５質量％が好ましく、０．１８〜１．２質量％がより好ましく、０．２〜１質量％が更に好ましい。
【００３３】
（ｃ）成分としては、亜硫酸塩、重亜硫酸塩、チオ硫酸塩、亜ジチオン酸塩、ピロ硫酸塩、亜硝酸塩、ホウ酸塩等が挙げられる。これらの塩としては、ナトリウム塩、カリウム塩等のアルカリ金属塩が好ましい。移染防止効果、褪色防止効果の観点から亜硫酸塩が好ましく、亜硫酸ナトリウムがより好ましい。
【００３４】
＜（ｄ）成分＞
移染防止効果、褪色防止効果の観点から、本発明の洗浄剤組成物は（ｄ）成分として非イオン界面活性剤を０．１〜１０質量％含有することが好ましく、０．５〜９質量％がより好ましく、１〜８質量％が更に好ましい。
【００３５】
（ｄ）成分としては、ポリオキシアルキレンアルキル（炭素数８〜２０）エーテル、アルキルポリグリコシド、ポリオキシアルキレンアルキル（炭素数８〜２０）フェニルエーテル、ポリオキシアルキレンソルビタン脂肪酸（炭素数８〜２２）エステル、ポリオキシアルキレングリコール脂肪酸（炭素数８〜２２）エステル、ポリオキシエチレンポリオキシプロピレンブロックポリマーが挙げられる。中でも、下記一般式（II）で示される非イオン界面活性剤が好ましい。
Ｒ1−Ｘ−［（ＥＯ）n／（ＰＯ）m］−Ｒ2          （II）
（式中、Ｒ1は炭素数８〜２０の疎水基、−Ｘ−は、−Ｏ−、−ＣＯＯ−、−ＣＯＮＨ−を表わす。ＥＯはオキシエチレン基、ＰＯはオキシプロピレン基、ｎ及びｍは平均付加モル数を表わし、ｎは３〜２０、好ましくは５〜１５、ｍは０〜６、好ましくは０〜３である。なお、ＥＯ群とＰＯ群の付加形態はブロックでもランダムでもよい。Ｒ2は水素原子又は炭化水素基、好ましくは炭素数１〜６のアルキル基もしくはアルケニル基である。）
【００３６】
式中、Ｒ1は炭素数１２〜１８が好ましく、疎水基は炭化水素基が好ましく、アルキル基又はアルケニル基が好ましく、−Ｘ−は、−Ｏ−が好ましく、ｍは０が好ましく、Ｒ2は水素原子が好ましい。
【００３７】
＜（ｅ）成分＞
移染防止効果、褪色防止効果の観点から、本発明の洗浄剤組成物は（ｅ）成分として炭酸アルカリ金属塩を５〜４０質量％含有することが好ましく、１０〜３８質量％がより好ましく、２０〜３６質量％が更に好ましい。
【００３８】
（ｅ）成分としては、炭酸ナトリウム、炭酸カリウムが挙げられる。中でも、炭酸ナトリウム塩及び炭酸カリウム塩の両方を含むことが好ましい。炭酸ナトリウム塩／炭酸カリウム塩の質量比は９／１〜２／３が好ましく、８／１〜１／１がより好ましく、７／１〜２／１が更に好ましく、６／１〜４／１が特に好ましい。（ｅ）成分中、炭酸ナトリウム塩及び炭酸カリウム塩の合計量は９０質量％以上、更に９５質量％以上が好ましい。
【００３９】
＜その他成分＞
本発明の洗浄剤組成物は、衣料用洗浄剤の分野で公知の他の界面活性剤、ビルダー、再汚染防止剤（カルボキシメチルセルロース等）、柔軟化剤、漂白剤、漂白活性化剤、蛍光増白剤、抑泡剤（シリコーン等）、酵素、着色剤、香料等を含有させることができる。
【００４０】
他の界面活性剤としては、（ａ）成分以外の陰イオン界面活性剤、両性界面活性剤、陽イオン界面活性剤の１種または２種以上を組み合わせて用いることが出来るが、好ましくは（ｄ）成分に加えて（ａ）成分以外の陰イオン界面活性剤を組み合わせて用いることである。
【００４１】
（ａ）成分以外の陰イオン界面活性剤としては、アルキルベンゼンスルホン酸塩、パラフィンスルホン酸塩、ポリオキシアルキレンアルキルエーテル硫酸塩、α−オレフィンスルホン酸塩、α−スルホ脂肪酸塩又は脂肪酸塩が好ましい。本発明では特に、アルキル鎖の炭素数が１０〜１４の直鎖アルキルベンゼンスルホン酸塩、及び脂肪酸塩（炭素数８〜１８）が好ましく、対イオンとしては、アルカリ金属塩やアミン類が好ましく、特にナトリウム及び／又はカリウム、モノエタノールアミン、ジエタノールアミンが好ましい。アルキルベンゼンスルホン酸塩を用いる場合、洗浄剤組成物中の含有量は５〜１２質量％が好ましく、６〜１０質量％がより好ましい。また、脂肪酸塩を用いる場合、洗浄剤組成物中の含有量は５〜１５質量％が好ましく、７〜１２質量％がより好ましい。
【００４２】
（ｅ）成分以外のビルダーとしては、洗剤・洗浄の事典、（株）朝倉書店、1990年11月25日初版第１刷、奥山春彦、皆川基編集、５６頁〜７４頁記載のビルダーが挙げられる。中でも無機系ビルダーとしては、ゼオライト、非晶質アルミノ珪酸塩、結晶性珪酸塩、トリポリリン酸ナトリウム、ピロリン酸ナトリウム、珪酸塩、が好ましく、有機系ビルダーとしては、アミノカルボン酸塩、ヒドロキシアミノカルボン酸塩、ヒドロキシカルボン酸塩、シクロカルボン酸塩、エーテルカルボン酸塩、有機カルボン酸（塩）ポリマー、が好ましい。特に無機系ビルダーとしては、ゼオライト、珪酸塩、が好ましく、有機系ビルダーとしては、有機カルボン酸（塩）ポリマー、が好ましい。
【００４３】
洗浄剤粒子の流動性及び耐ケーキング性の観点から、表面改質を行っても良い。表面改質剤としては、例えば、アルミノケイ酸塩、ケイ酸カルシウム、二酸化ケイ素、粘土鉱物、非晶質シリカ誘導体、結晶性シリケート化合物等のシリケート化合物、金属石鹸等の微粉体が挙げられる。より好ましくはアルミノ珪酸塩、結晶性シリケートであり、更に好ましくはアルミノ珪酸塩である。表面改質剤の含量は保存安定性の点で、本発明の洗浄剤組成物中の２０質量％以下が好ましく、１５質量％以下がより好ましく、１０質量％以下が更に好ましい。また、表面改質の点で、本発明の洗浄剤組成物中の１質量％以上が好ましく、３質量％以上がより好ましく、５質量％以上が更に好ましい。
【実施例】
【００４４】
表１に示した粉末洗浄剤組成物を製造し、移染防止効果、褪色防止効果及び洗浄性能を以下の方法で評価した。なお、表１の組成物は、ＪＩＳ Ｋ ３３６２：１９９８記載の２０℃で測定する０．１質量％水溶液のｐＨは何れも１０〜１１であった。また、ＪＩＳ Ｋ ３３６２：１９９８により規定された方法で測定する見掛け密度は何れも７００〜１０００ｇ／Ｌであった。また、ＪＩＳ Ｚ ８８０１の標準篩を用いて５分間振動させた後、篩目のサイズによる質量分率から求める粉末洗浄剤組成物の平均粒径は何れも１８０〜６００μｍであった。
【００４５】
〔移染防止効果の評価方法〕
青色染料（Ｃ．Ｉ．ダイレクト・ブルー８６）で染色された木綿布（＃２００３、１０ｃｍ×１０ｃｍ）１．５kgと、木綿布（＃２００３、１０ｃｍ×１０ｃｍ）１．５kgとを、洗濯機（松下電器産業（株）製、ＮＡ−Ｆ６０Ｅ）に投入し、表１の洗浄剤組成物２４ｇを使用して標準モードで洗濯した後陰干した。このとき使用した水道水の塩素濃度は、１ｐｐｍであった。移染による白色布の変色度合いの評価として、日本電色（株）製の色差計（ＳＥ２００型）にて、洗浄前後について各々木綿布のＥ＊値を測定し、洗浄前後における木綿布５枚の色調変化ΔＥ*値の平均を求めた。以下の基準で判定した。
ΔＥ*値が５未満：○
ΔＥ*値が５以上８未満：△
ΔＥ*値が８以上：×
【００４６】
〔褪色防止効果の評価方法〕
青色染料（Ｃ．Ｉ．ダイレクト・ブルー８６）で染色された木綿布（＃２００３、１０ｃｍ×１０ｃｍ）３kgを、洗濯機（松下電器産業（株）製、ＮＡ−Ｆ６０Ｅ）に投入し、表１の洗浄剤組成物２４ｇを使用して標準モードで洗濯した後陰干した。このとき使用した水道水の塩素濃度は、１ｐｐｍであった。この操作を３０回繰り返し、新品と比較して以下の基準で判定した。
新品と同等の色合いであった：○
褪色がやや見られる：△
褪色が明らかに見られる：×
【００４７】
〔洗浄性能の評価方法〕
ＪＩＳ Ｋ３３６２：１９９８記載の襟あか布を調製し、これを用いて、ＪＩＳ Ｋ ３３６２：１９９８記載の衣料用合成洗剤の洗浄力評価方法に準じ、表１の洗浄剤組成物と洗浄力判定用指標洗剤の洗浄力を比較した。表１の洗浄剤組成物の使用濃度は０．５ｇ／Ｌとした。但し、使用水に用いた塩化カルシウム・二水和物は２７０ｍｇ／Ｌとした。以下の基準で判定した。
指標洗剤より洗浄力が勝る：○
指標洗剤と洗浄力が同等：△
指標洗剤より洗浄力が劣る：×
【００４８】
【表１】
2008044987.tif 000002
【００４９】
表中の成分は以下のものである。なお、ＥＯはエチレンオキサイド、ＰＯはプロピレンオキサイドの略である。
・α-ＳＦＥ−Ｎａ１：α−スルホラウリン酸メチルエステルナトリウム
・α-ＳＦＥ−Ｎａ２：α−スルホミリスチン酸メチルエステルナトリウム
・α-ＳＦＥ−Ｎａ３：α−スルホパルミチン酸メチルエステルナトリウム
・α-ＳＦＥ−Ｎａ４：α−スルホステアリン酸メチルエステルナトリウム
・α-ＳＦＥ−Ｋ：α−スルホ脂肪酸メチルエステルカリウム（炭素数１４の脂肪酸／炭素数１６の脂肪酸＝２０／８０、質量比）
・粘土鉱物１：ラウンドロジルＤＧＡ（ズッドケミー社製、一般式（Ｉ）の粘土鉱物、Ｎａ／Ｃａモル比＝２．５）
・粘土鉱物２：ラウンドロジルＤＧ（ズッドケミー社製、一般式（Ｉ）においてＮａ／Ｃａモル比＝０．０１のもの）
・非イオン界面活性剤１：炭素数１２〜１４の直鎖第１級アルコールに、ＥＯを平均７モル付加した非イオン界面活性剤
・非イオン界面活性剤２：炭素数１２〜１４の第２級アルコールに、ＥＯを平均７モル付加した非イオン界面活性剤（株式会社日本触媒、ソフタノール７０Ｈ）
・非イオン界面活性剤３：炭素数１２〜１４の直鎖第１級アルコールに、ＥＯを平均５モル、ＰＯを平均２モル、ＥＯを平均３モルの順にブロック付加した非イオン界面活性剤
・ＬＡＳ−Ｎａ：アルキル基の炭素数が１０〜１４のアルキルベンゼンスルホン酸ナトリウム
・石鹸：パーム核油脂肪酸ナトリウム
・ＰＥＧ：ポリエチレングリコール（重量平均分子量１３０００）
・ポリアクリル酸ナトリウム：重量平均分子量１００００
・蛍光染料：チノパールＣＢＳ−Ｘ（チバ・スペシャルティ・ケミカルズ社製）
・酵素：セルラーゼＫ（特開昭６３−２６４６９９号公報記載）、リポラーゼ１００Ｔ（ノボ社製）を３：１の質量比で混合したもの